(57)【要約】【課題】安価で大量生産が可能であるり、更にコンパクトなレンズユニット、並びにかかるレンズユニットを有する撮像装置を提供する。【解決手段】鏡筒１３を軸線方向に見たときに、鏡筒１３の中心軸Ｏから、第１平面１３ｃ’と、第１レンズＬ１のフランジ外周面Ｌ１ｆとの接点Ｐを通過する線が、ゲート部ＧＴ（点線で図示）と重なるようにすることで、後述するように、肉厚が厚い位置から素材をキャビティ内に充填させることができ、成形サイクルを短縮化できる。【選択図】図４
2015001688.tif 000002
【特許請求の範囲】
【請求項１】
円筒外周面を備えた複数のレンズを含む撮像レンズと、
筒状の側壁と、該側壁より光軸直交方向内方に延在する頂壁とを備え、前記撮像レンズを保持する鏡筒と、を有するレンズユニットにおいて、
前記鏡筒は、少なくとも前記側壁の内周面の一部が平面となっていて、この平面を延長して形成された形状が軸線方向に見たときに多角形状となっており、前記平面に、前記円筒外周面を当接させることで、前記レンズは前記鏡筒に対して位置決めされており、
前記鏡筒は成形により形成されてなり、軸線方向に沿って成形時の素材を注入することでゲート部が前記頂壁に形成されており、
前記鏡筒を軸線方向に見たときに、前記撮像レンズの中心から、前記平面と前記円筒外周面との接点を通過する線に、前記ゲート部が重なることを特徴とするレンズユニット。
【請求項２】
前記撮像レンズのうち、前記頂壁に最も近い第１のレンズは、それに隣接する第２のレンズよりも小径であり、前記第１のレンズと前記第２のレンズとの外径差を利用して前記頂壁の外周に段差部が形成され、前記ゲート部は前記段差部に形成されていることを特徴とする請求項１に記載のレンズユニット。
【請求項３】
前記段差部は、周方向に離れて間欠的に形成されていることを特徴とする請求項２に記載のレンズユニット。
【請求項４】
周方向に離れた前記段差部の間に、前記鏡筒を把持する為の把持部が形成されていることを特徴とする請求項３に記載のレンズユニット。
【請求項５】
前記鏡筒の周囲にねじ部を形成したことを特徴とする請求項１〜４のいずれかに記載のレンズユニット。
【請求項６】
請求項１〜５のいずれかに記載のレンズユニットを有することを特徴とする撮像装置。
【発明の詳細な説明】
【技術分野】
【０００１】
本発明は、ＣＣＤ型イメージセンサあるいはＣＭＯＳ型イメージセンサ等の撮像素子を用いた小型の撮像装置、並びにそれに用いると好適なレンズユニットに関する。
【背景技術】
【０００２】
近年、CCD（Charge Coupled Device）型イメージセンサあるいはCMOS（Complementary Metal Oxide Semiconductor）型イメージセンサ等の固体撮像素子を用いた撮像装置が搭載された携帯端末の普及の増大に伴い、より高画質の画像が得られるよう、高画素数の撮像素子を使用した撮像装置が搭載されたものが市場に供給されるようになってきた。又、携帯端末としては、薄形のスマートフォンなどが主流となりつつあり、これに応じてカメラモジュールの一層の小型化の要求も高まっている。
【０００３】
ところで、携帯端末はデザイン性や携帯性を確保するために薄型化が求められており、これに伴い、撮像装置に組み込まれるレンズユニットも小型化が求められているとともに、生産性の観点からコスト低減も同時に求められている。
【０００４】
ここで、レンズユニットの製造工程として、一般的には撮像レンズ及び鏡筒と別個に形成し、両者を組み付けて接着し、更に調整を行うなどの手順で行われている。ここで、鏡筒を安価に大量生産するため、射出成形により形成することが多い。特許文献１には、複数の金型を組み合わせて、射出成形により鏡筒を製造することが開示されている。
【先行技術文献】
【特許文献】
【０００５】
【特許文献１】特開2006-201378号公報
【発明の概要】
【発明が解決しようとする課題】
【０００６】
特許文献１の技術によれば、成形される鏡筒に対応するキャビティの側面に設けられたゲートから素材を注入し（サイドゲート）、鏡筒を成形することが行われている。従って、成形された鏡筒の側面にはゲート部が突出して形成されているから、成形された鏡枠からゲート部をカットすることが必要になる。ところが、ゲート部をカットするためには、切断工具や切断工程が必要となるから、コストを増大させる要因となる。又、ゲート部のカットを行ったとしても、鏡筒の側面にはカット跡が残ることとなり、このカット跡は精度が十分に確保できないから、周囲部品がこれに接触しないように、カット跡の周囲にある程度のスペースを設けなくてはならない。このように、カット跡の周囲に不要なスペースを必要とすると、レンズユニットを有する撮像装置を携帯端末等に搭載する際の搭載性が損なわれる恐れがある。
【０００７】
本発明は、このような問題点に鑑みてなされたものであり、安価で大量生産が可能であり、更にコンパクトなレンズユニット、並びにかかるレンズユニットを有する撮像装置を提供することを目的とする。
【課題を解決するための手段】
【０００８】
上記課題を解消するために、請求項１に記載のレンズユニットは、
円筒外周面を備えた複数のレンズを含む撮像レンズと、
筒状の側壁と、該側壁より光軸直交方向内方に延在する頂壁とを備え、前記撮像レンズを保持する鏡筒と、を有するレンズユニットにおいて、
前記鏡筒は、少なくとも前記側壁の内周面の一部が平面となっていて、この平面を延長して形成された形状が軸線方向に見たときに多角形状となっており、前記平面に、前記円筒外周面を当接させることで、前記レンズは前記鏡筒に対して位置決めされており、
前記鏡筒は成形により形成されてなり、軸線方向に沿って成形時の素材を注入することでゲート部が前記頂壁に形成されており、
前記鏡筒を軸線方向に見たときに、前記撮像レンズの中心から、前記平面と前記円筒外周面との接点を通過する線に、前記ゲート部が重なることを特徴とする。
【０００９】
本発明者らは、鏡筒の成形後におけるゲートカットを不要とするために、ピンゲート方式で鏡筒を成形できないか検討した。ピンゲート方式の成形とは、素材注入用のゲート（ピンゲート）を有する金型を、離型時に、成形品より退避させることで、ゲート部を切断してしまうものである。これにより、成形品のゲートカットが不要になる。ところが、小型化が求められるレンズユニットにおいては、鏡筒の側壁をなるべく薄くすることが求められているから、金型により形成されるキャビティが薄くなり、そのため軸線方向からキャビティ内に樹脂を供給する際に、充填効率が悪くなり成形時間が長くなるという問題がある。
【００１０】
本発明者らは、鏡筒に撮像レンズを組み付ける際の位置決め構成に着目した。鏡筒の内周面の一部が平面となっていて、この平面を延長して形成された形状が軸線方向に見たときに多角形状となっており、この平面に、フランジの円筒外周面を当接させることで、複数のレンズが鏡筒に対して位置決めされているタイプのレンズユニットがある。かかるレンズユニットの鏡筒は、弦となる平面の位置が、それ以外の内周面よりも肉厚が厚くなる。そこで、このような鏡筒の成形を行う際に、平面の位置にピンゲートが来るようにすること、言い換えると、鏡筒を軸線方向に見たときに、撮像レンズの中心から、平面と円筒外周面との接点を通過する線が、ゲート部と重なるようにすることで、肉厚が厚い位置から素材をキャビティ内に充填させることができ、充填効率を高めて成形サイクルを短縮化できることを見いだしたのである。
【００１１】
請求項２に記載のレンズユニットは、請求項１に記載の発明において、前記撮像レンズのうち、前記頂壁に最も近い第１のレンズは、それに隣接する第２のレンズよりも小径であり、前記第１のレンズと前記第２のレンズとの外径差を利用して前記頂壁の外周に段差部が形成され、前記ゲート部は前記段差部に形成されていることを特徴とする。
【００１２】
鏡筒の頂壁に最も近い第１のレンズが、それに隣接する第２のレンズよりも小径である撮像レンズを保持する鏡筒の場合、第１のレンズの周囲に、使用しないスペースが存在する。そこで、第１のレンズと第２のレンズとの外径差を利用して、頂壁の外周に段差部を形成し、ゲート部を該段差部に形成することで、ゲート部の位置を極力第２のレンズ側に寄せることが出来、これにより低背のレンズユニットを形成できるのである。
【００１３】
請求項３に記載のレンズユニットは、請求項２に記載の発明において、前記段差部は、周方向に離れて間欠的に形成されていることを特徴とする。
【００１４】
これにより、鏡筒の内周面の多角形状に合わせて、複数のゲート部を設けることができ、更に素材の充填効率を高めることができる。
【００１５】
請求項４に記載のレンズユニットは、請求項３に記載の発明において、周方向に離れた前記段差部の間に、前記鏡筒を把持する為の把持部が形成されていることを特徴とする。
【００１６】
レンズユニットを撮像装置に組み込む場合、ロボットなどで把持することが必要な場合がある。このような場合、鏡筒にロボットの把持部で把持する部分が必要になる。本発明によれば、周方向に離れた段差部の間に把持部が形成されているので、ゲート部に邪魔されることなく、鏡筒を把持できる。
【００１７】
請求項５に記載のレンズユニットは、請求項１〜４のいずれかに記載の発明において、前記鏡筒の周囲にねじ部を形成したことを特徴とする。
【００１８】
軸線方向に沿って成形時の素材を注入することにより、ゲート部を鏡筒の頂壁に形成したので、鏡筒の周囲に、レンズユニット取り付けのためのねじ部を形成したとしても、ねじ部を螺合させる際にゲート部と干渉が生じる恐れはない。
【００１９】
請求項６に記載の撮像装置は、請求項１〜５のいずれかに記載のレンズユニットを有することを特徴とする。
【発明の効果】
【００２０】
本発明によれば、安価で大量生産が可能であり、更にコンパクトなレンズユニット、並びにかかるレンズユニットを有する撮像装置を提供することができる。
【図面の簡単な説明】
【００２１】
【図１】本実施の形態にかかる撮像装置１０の光軸に沿った断面図である。
【図２】鏡筒１３を物体側から見た図である。
【図３】図２の鏡筒１３をIII-III線で切断して矢印方向に見た図である。
【図４】鏡筒１３を像側から見た図である。
【図５】カメラモジュールを搭載したスマートフォンの正面図（ａ）、及びカメラモジュールを適用したスマートフォンの背面図（ｂ）である。
【図６】図５のスマートフォンの制御ブロック図である。
【図７】鏡筒を成形する成形装置の断面図である。
【図８】本実施の形態の変形例を示す図である。
【発明を実施するための形態】
【００２２】
以下、本発明の実施の形態を、図面を参照して説明する。図１は、本実施の形態にかかる撮像装置１０の断面図である。なお、以下に示す構成は概略図であり、形状や寸法等は実際と異なるものがある。
【００２３】
図１に示すように、撮像装置１０は、光電変換部（撮像面）１１ａを備えた固体撮像素子としてのＣＭＯＳ型撮像素子１１と、この撮像素子１１の光電変換部１１ａに被写体像を形成する撮像レンズ１２と、撮像レンズ１２を保持する鏡筒１３と、撮像レンズ１２と撮像素子１１の間に配置された光学フィルタ１４と、撮像レンズ１２を駆動するアクチュエータ１５と、撮像素子１１を実装した回路基板１６と、撮像レンズ１２及びアクチュエータ１５を保持する台座部材１７とを有する。
【００２４】
図１に示すように、撮像素子１１は、ウェハチップ上に複数の受光画素（光電変換素子）が２次元的に配置された、撮像面としての光電変換部１１ａが形成されており、その周囲には信号処理回路（不図示）が形成されている。かかる信号処理回路は、各画素を順次駆動し出力信号を得る駆動回路部と、各出力信号をデジタル信号に変換するＡ／Ｄ変換部と、このデジタル信号を用いて画像信号出力を形成する信号処理部等から構成されている。
【００２５】
また、撮像素子１１のウェハチップにおける受光面側の外縁近傍に形成された複数のパッド（不図示）は、ワイヤ１１ｂにより回路基板１６に接続されている。
【００２６】
樹脂により一体成形された台座部材１７は、全体的に直方体の筐体状であり、撮像素子１１を囲うように設けられた４つの側壁部１７ａと、その上端に交差する上壁部１７ｂとを有する。上壁部１７ｂの中央には、矩形状の開口１７ｃが形成されており、かかる開口１７ｃを覆うようにして上壁部１７ｂに光学フィルタ１４が取り付けられている。
【００２７】
撮像素子１１は、光電変換部１１ａからの出力信号をデジタルＹＵＶ信号等の画像信号等に変換し、ワイヤ１１ｃから回路基板１６の配線パターンを介して、不図示の外部回路（例えば、カメラモジュールを実装した上位装置が有する制御回路）へと送信するようになっている。又、回路基板１６の配線パターンからワイヤ１１ｂを介して、外部回路から撮像素子１１を駆動するための電力やクロック信号の供給を受けることもできる。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００２８】
図２は、鏡筒１３を物体側から見た図であり、図３は、図２の鏡筒１３をIII-III線で切断して矢印方向に見た図であり、図４は、鏡筒１３を像側から見た図である。鏡筒１３は、筒状の側壁１３ａと、側壁１３ａの物体側端部から光軸直交方向に延在する頂壁１３ｂとを有する。頂壁１３ｂの中央に形成された開口が絞りＳとなる。
【００２９】
図３に示すように、側壁１３ａの内周は、光軸方向位置に応じて外径が異なっており、具体的には、物体側より、第１内周面１３ｃ、第２内周面１３ｄ、第３内周面１３ｅ、第４内周面１３ｆ、第５内周面１３ｇが、この順序で内径が大きくなるように形成されている。第１内周面１３ｃの一部が周方向に等間隔に配置された６つの第１平面１３ｃ’となっていて、この第１平面１３ｃ’を延長して形成された形状が軸線方向に見たときに正六角形状となっている。又、第３内周面１３ｅの一部が周方向に等間隔に配置された６つの第３平面１３ｅ’となっていて、この第３平面１３ｅ’を延長して形成された形状が軸線方向に見たときに正六角形状となっている。更に、第４内周面１３ｆの一部が周方向に等間隔に配置された６つの第４平面１３ｆ’となっていて、この第４平面１３ｆ’を延長して形成された形状が軸線方向に見たときに正六角形状となっている。又、第５内周面１３ｇの一部が周方向に等間隔に配置された６つの第５平面１３ｇ’となっていて、この第５平面１３ｇ’を延長して形成された形状が軸線方向に見たときに正六角形状となっている。
【００３０】
更に、頂壁１３ｂの外周に座繰り状の段差部１３ｈが形成され、３つのゲート部ＧＴが段差部１３ｈから軸線方向に延在するように形成されている。ゲート部ＧＴの形成態様は後述する。図２に示すように、段差部１３ｈは、周方向に離れて間欠的に３つ形成されている。周方向に離れた段差部１３ｈの間に、凹状の把持部１３ｉが形成されている。把持部１３ｉは、例えば３つの爪を持つロボットアーム（不図示）により、鏡筒１３を把持する際に用いられる。段差部１３ｈと、把持部１３ｉとは、第１内周面１３ｃと第２内周面１３ｄとの内径差を利用して、第１内周面１３ｃの周囲に近接して形成されており、これにより鏡筒１３の外径を抑制できる。
【００３１】
図１において、鏡筒１３の内部には、撮像レンズ１２が設けられている。撮像レンズ１２は、物体側から順に配置された、第１レンズＬ１、第１遮光絞りＳＨ１、第２レンズＬ２、第２遮光絞りＳＨ２、第３レンズＬ３、第３遮光絞りＳＨ３、第４レンズＬ４，第４遮光絞りＳＨ４、第４レンズＬ５からなり、これらは相互に当接してなる。第１レンズＬ１〜第５レンズＬ５は、この順序で外径が大きくなっている。第１レンズＬ１の円筒状であるフランジ外周面Ｌ１ｆ（図１参照）が、第１内周面１３ｃの第１平面１３ｃ’に当接することで、第１レンズＬ１と鏡筒１３との軸合わせが行われる。第３レンズＬ３の円筒状であるフランジ外周面Ｌ３ｆが、第３内周面１３ｅの第３平面１３ｅ’に当接することで、第３レンズＬ３と鏡筒１３との軸合わせが行われる。第４レンズＬ４の円筒状であるフランジ外周面Ｌ４ｆが、第４内周面１３ｆの第４平面１３ｆ’に当接することで、第３レンズＬ３と鏡筒１３との軸合わせが行われる。第５レンズＬ５の円筒状であるフランジ外周面Ｌ５ｆは、第５内周面１３ｇの第５平面１３ｇ’に当接することで、第５レンズＬ５と鏡筒１３との軸合わせが行われる。尚、第２レンズＬ２は、第１レンズＬ１と互いのフランジ部同士を嵌合させて光軸を一致させているが、他のレンズと同様に鏡筒１３の平面に当接させて軸合わせを行っても良い。以上の構成により、各レンズＬ１〜Ｌ５は、同軸に配置される。
【００３２】
このように撮像レンズ１２を鏡筒１３内に組み込む場合、頂壁１３ｂを重力加速度方向下方に向けることが望ましい。組み付けた第５レンズＬ５のフランジ外周面Ｌ５ｆと、第５内周面１３ｇとの間には隙間があるので、付与した接着剤ＢＤが、かかる隙間を伝わって内部へと進入し固化することで、撮像レンズ１２と鏡筒１３との接着を確実に行える。
【００３３】
本実施の形態では、図４に示すように、鏡筒１３を軸線方向に見たときに、鏡筒１３の中心軸Ｏから、第１平面１３ｃ’と、第１レンズＬ１のフランジ外周面Ｌ１ｆ（点線）との接点Ｐを通過する線Ｌが、ゲート部ＧＴ（点線で図示）と重なるようにする（好ましくはゲート部ＧＴの中心を通る）ことで、後述するように、肉厚が厚い位置から素材をキャビティ内に充填させることができ、成形サイクルを短縮化できる。
【００３４】
図１において、撮像レンズ１２と撮像素子１１との間に配置された光学フィルタ１４は、ＩＲカット機能を有する。
【００３５】
鏡筒１３の外周には、雄ねじ部１３ｊが形成されている。アクチュエータ１５は、鏡筒１３の雄ねじ部１３ｊに螺合される雌ねじ部１５ｅを有する筒状のキャリヤ１５ａと、キャリヤ１５ａに取り付けられ光軸方向に延在するコイル１５ｂと、コイル１５ｂに対抗して配置された磁石１５ｃと、磁石１５ｃを支持した筐体状のヨーク１５ｄとからなっている。コイル１５ｂは、不図示の配線を介して外部回路に接続されている。ヨーク１５ｄの下端は、台座部材１７の上壁部１７ｂ上に接着されている。また、キャリヤ１５ａは不図示の弾性部材により撮像素子１１方向に付勢されている。
【００３６】
上述した撮像装置１０の動作について説明する。図５は、撮像装置１０を携帯端末の一例であるスマートフォン１００に装備した状態を示す。また、図６はスマートフォン１００の制御ブロック図である。
【００３７】
撮像装置１０は、例えば、鏡筒１３の物体側端面がスマートフォン１００の背面（図５（ｂ）参照）に設けられ、スマートフォン１００の表面側には液晶表示部が配設されている。
【００３８】
撮像装置１０は、外部接続端子（図６では矢印）を介して、スマートフォン１００の制御部１０１と接続され、輝度信号や色差信号等の画像信号を制御部１０１側に出力する。
【００３９】
一方、スマートフォン１００は、図６に示すように、各部を統括的に制御すると共に、各処理に応じたプログラムを実行する制御部（ＣＰＵ）１０１と、電源等のスイッチ及び番号等をタッチパッドにより指示入力するための入力部６０と、所定のデータの他に撮像した映像等を液晶パネルで表示する表示部６５（但し、表示部の液晶パネルと入力部のタッチパッドはタッチパネル７０が兼用する）と、外部サーバとの間の各種情報通信を実現するための無線通信部８０と、スマートフォン１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置１０により得られた撮像データ等を一時的に格納する作業領域として用いられる及び一時記憶部（ＲＡＭ）９２とを備えている。
【００４０】
撮像装置１０は、スマートフォン１００の入力部６０の操作によって動作させられ、アクチュエータ１５により撮像レンズ１２を駆動してオートフォーカス動作を行い、レリーズボタン７１等を押圧することで、撮像装置１０を動作させて撮像を行うことができる。撮像装置１０から入力された画像信号は、上記スマートフォン１００の制御系により、記憶部９１や一時記憶部９２に記憶されたり、或いは表示部６５に表示され、さらには、無線通信部８０を介して映像情報として外部に送信される。
【００４１】
図７は、鏡筒を成形する成形装置の断面図である。成形装置は、鏡筒１３の頂壁１３ｂの外側面を成形する第１の型ＭＤ１と、鏡筒１３の頂壁１３ｂの内側面と側壁１３ａの内周面を形成する第２のＭＤ２と、鏡筒１３の側壁１３ａの外周面であって雄ねじ部１３ｊを形成する一対の第３の型ＭＤ３とを有する。第１の型ＭＤ１は、樹脂素材を供給するランナーＭＤ１ａと、ランナーＭＤ１ａから３つに分岐したゲートＭＤ１ｂとを有する。ゲートＭＤ１ｂは、第１の型ＭＤ１のキャビティ側端面に開口している。第１の型ＭＤ１と第２の型ＭＤ２とは、軸線方向に相対移動可能となっており、一対の第３の型ＭＤ３は、第１の型ＭＤ１と第２の型ＭＤ２の軸線より離間／接近可能となっている。
【００４２】
図７（ａ）に示すように、型ＭＤ１〜ＭＤ３を型締めした状態で、ランナーＭＤ１ａ及びゲートＭＤ１ｂを介して樹脂素材をキャビティＣＶ内へと注入する。このとき、樹脂素材はゲートＭＤ１ｂを介して比較的肉厚が厚い部位からキャビティＣＶに進入するので、充填時間を短縮できる。
【００４３】
樹脂素材が固化した後、図７（ｂ）に示すように、第１の型ＭＤ１と第２の型ＭＤ２とを軸線方向に互い離間するように移動させるとともに、一対の第３の型ＭＤ３を軸線より離間させる。このとき、成形品である鏡筒１３は、接触面積が大きな第２の型ＭＤ２側に残るので、鏡筒１３から第１の型ＭＤ１が離間するため、ゲートＭＤ１ｂの開口部近傍で樹脂素材が千切れて、ゲート部ＧＴとして鏡筒１３に残存する。但し、ゲート部ＧＴは頂壁１３ｂの段差部１３ｈ内に形成されるので、頂壁１３ｂから物体側に突き出す恐れが低く、撮像装置に組み込んだ際に邪魔にならない。 
【００４４】
図８は、本実施の形態の変形例にかかる鏡筒の像側端を示す図である。鏡筒１３には、ロット情報などを示すマークを付与する場合がある。ここで、鏡筒１３の側壁１３ａの像側端は、肉厚ｔが非常に薄いので、端部にマークを付与すると視認しにくいという問題がある。そこで、本例では、鏡筒１３の端部に切欠１３ｋを設けるとともに、その底面１３ｍを、鏡筒１３の軸線に直交する面に対して傾けて、更に底面１３ｍにマークＭを付与している。これにより、底面１３ｍの幅Δは肉厚ｔより大きくなるので、マークＭを視認しやすくなる。
【００４５】
本発明は、明細書に記載の実施例に限定されるものではなく、他の実施例・変形例を含むことは、本明細書に記載された実施例や思想から本分野の当業者にとって明らかである。尚、内周面の平面を延長して形成される形状は、六角形に限られず、それ以外の多角形状であってよい。
【符号の説明】
【００４６】
１０            撮像装置
１１            撮像素子
１１ａ            光電変換部
１１ｂ            ワイヤ
１２            撮像レンズ
１３            鏡筒
１４            光学フィルタ
１５            アクチュエータ
１５ａ            キャリヤ
１５ｂ            コイル
１５ｃ            磁石
１５ｄ            ヨーク
１６            回路基板
１７            台座部材
１７ａ            側壁部
１７ｂ            上壁部
１７ｃ            開口
６０            入力キー部
６５            表示部
７０            タッチパネル
７１            レリーズボタン
８０            無線通信部
９２            記憶部
１００            スマートフォン
１０１            制御部
Ｌ１〜Ｌ５        撮像レンズ
ＧＴ  ゲート部
【図１】
2015001688.tif 000003
【図２】
2015001688.tif 000004
【図３】
2015001688.tif 000005
【図４】
2015001688.tif 000006
【図５】
2015001688.tif 000007
【図６】
2015001688.tif 000008
【図７】
2015001688.tif 000009
【図８】
2015001688.tif 000010